(57)【要約】      （修正有）【課題】ケースと便蓋との隙間を著しく小さくすることができ、しかもケース内に埃、ゴミ、水などが入り込むこともない便座便蓋装置を提供する。【解決手段】便座便蓋装置は、便座ボックス１と、該便座ボックス１に対し支軸２及びアーム１０によって回動可能に取り付けられた便蓋３と、支軸４を介して回動可能に取り付けられた便座５と、便座ボックス１の前部の上面及び側面を覆うカバー等を備えている。アーム１０は、支軸２から放射方向に延在するアーム径部１１と、該アーム径部１１の先端から支軸２に対して周回方向に延設されたアーム周部１２とを有している。便蓋３が倒伏した状態において、便蓋３と便座ボックス１との間にカバーが隙間なく介在しており、美観が良好であると共に、埃、ゴミなどが隙間に入り込むことが防止される。【選択図】図４
2013052032.tif 000002
【特許請求の範囲】
【請求項１】
便器の後部に設置されるケースと、該ケースに対し起倒方向回動可能に取り付けられた便座及び便蓋とを有した便座便蓋装置であって、
該便蓋は、回動可能なアームによって該ケースに取り付けられており、
該アームは、基端側が該軸部材によって該ケースに支持され、該軸部材から遠ざかる方向に延設されたアーム径部と、該アーム径部の先端側から軸部材に対して周回方向に延設されたアーム周部とを有している便座便蓋装置において、
該ケースの前面部に前方へ膨出する膨出部が設けられており、
該アーム径部の基端側が該膨出部の側面部に支持されており、
該膨出部上面を覆うカバーが設けられていることを特徴とする便座便蓋装置。
【請求項２】
請求項１において、前記カバーは、前記膨出部上面を覆う上面部と、該上面部の左右両端から垂下し、該アームの側方部分を隠蔽する側面部とを有することを特徴とする便座便蓋装置。
【請求項３】
請求項２において、該カバーの上面部の後縁は、前記膨出部よりも後方側のケース後部上面部の前縁に当接しており、
該カバーの上面部と、ケース後部上面部と、倒伏状態の便蓋上面部とが面一状となっていることを特徴とする便座便蓋装置。
【請求項４】
請求項１ないし３のいずれか１項において、前記カバーの側面部は、前記膨出部よりも後方側のケース側面部の前縁に当接しており、
該カバーの側面部とケース後部側面部とが面一状となっていることを特徴とする便座便蓋装置。
【請求項５】
請求項１において、前記該膨出部の側面は、該ケースの後部の側面よりも左右方向中央側に位置しており、
該膨出部の側方に凹所が形成されており、
該凹所は、該膨出部の側面と、該ケース後部の前面と、該ケース前部の上面と、ケース前部の側縁から起立する袖壁部とによって４方が囲まれ、前方及び上方に向って開放しており、
前記カバーは、該ケースの上面と、該凹所の上面とを覆っていることを特徴とする便座便蓋装置。
【請求項６】
請求項５において、該カバーの上面部と、倒伏状態の便蓋上面部とが面一状となっていることを特徴とする便座便蓋装置。
【請求項７】
請求項３又は６において、該カバー上面部の前縁と、倒伏状態の便蓋上面部の後縁との隙間幅が３ｍｍ以下であることを特徴とする便座便蓋装置。
【請求項８】
請求項５ないし７のいずれか１項において、該カバーは、該カバーの上面部の左右の側縁及び後縁から垂下する側面部を有しており、該側面部がケースに係合していることを特徴とする便座便蓋装置。
【請求項９】
請求項８において、該カバーの左右の側面部とケース後部の左右の側面部及び袖壁部とが面一状となっていることを特徴とする便座便蓋装置。
【発明の詳細な説明】
【技術分野】
【０００１】
本発明は、便器に設置される便座便蓋装置に係り、特にケースと倒伏した便蓋との間に大きな隙間が生じないように構成された便座便蓋装置に関する。
【背景技術】
【０００２】
洋風便器の後部上面に便座ボックスやタンクカバー等のケースを設置し、このケースに便座及び便蓋を起倒方向回動可能に取り付けた便座便蓋装置において、ケースと、倒伏状態の便蓋の後縁との間に大きな隙間が生じることがある。この隙間は、便蓋が起立回動する際にケースに当ることを防止するために設けられている。
【０００３】
この隙間を小さくするように構成した便座便蓋装置として、特許文献１（特開２００５−２４４）の図６，７に、便蓋を回動可能に支持するための部材として、回動軸心線から回動半径方向に延在した延設アーム部と、該延設アーム部から円弧状に延設された円弧アーム部とを有したアーム部材を用いたものが記載されている。
【０００４】
この便座便蓋装置においては、便蓋が起立回動するに際し、便蓋が上方へ持ち上げられながら回動するので、ケースと便蓋との隙間を小さく設定した場合であっても、便蓋がケースに当ることがない。
【先行技術文献】
【特許文献】
【０００５】
【特許文献１】特開２００５−２４４
【発明の概要】
【発明が解決しようとする課題】
【０００６】
上記特許文献１の便座便蓋装置にあっては、ケース内にアームを配置し、ケース前面部に設けた挿通口を通ってアームがケース前方へ突出する構成となっているため、この挿通口からケース内に埃、ゴミ、水などが入り込むおそれが高い。
【０００７】
本発明は、ケースと便蓋との隙間を著しく小さくすることができ、しかもケース内に埃、ゴミ、水などが入り込むこともない便座便蓋装置を提供することを目的とする。
【課題を解決するための手段】
【０００８】
本発明の便座便蓋装置は、便器の後部に設置されるケースと、該ケースに対し起倒方向回動可能に取り付けられた便座及び便蓋とを有した便座便蓋装置であって、該便蓋は、回動可能なアームによって該ケースに取り付けられており、該アームは、基端側が該軸部材によって該ケースに支持され、該軸部材から遠ざかる方向に延設されたアーム径部と、該アーム径部の先端側から軸部材に対して周回方向に延設されたアーム周部とを有している便座便蓋装置において、該ケースの前面部に前方へ膨出する膨出部が設けられており、該アーム径部の基端側が該膨出部の側面部に支持されており、該膨出部上面を覆うカバーが設けられていることを特徴とするものである。
【０００９】
本発明の第１実施形態の便座便蓋装置は、便器の後部に設置されるケースと、該ケースに対し起倒方向回動可能に取り付けられた便座及び便蓋とを有した便座便蓋装置であって、該便蓋は、回動可能なアームによって該ケースに取り付けられており、該アームは、基端側が該軸部材によって該ケースに支持され、該軸部材から遠ざかる方向に延設されたアーム径部と、該アーム径部の先端側から軸部材に対して周回方向に延設されたアーム周部とを有している便座便蓋装置において、該ケースの前面部に前方へ膨出する膨出部が設けられており、該アーム径部の基端側が該膨出部の側面部に支持されており、該膨出部上面を覆う上面部と、該上面部の左右両端から垂下し、該アームの側方部分を隠蔽する側面部とを有したカバーが設けられていることを特徴とするものである。
【００１０】
第１実施形態の便座便蓋装置では、該カバーの上面部の後縁は、前記膨出部よりも後方側のケース後部上面部の前縁に当接しており、該カバーの上面部と、ケース後部上面部と、倒伏状態の便蓋上面部とが面一状となっていることが好ましい。
【００１１】
第１実施形態の便座便蓋装置では、該カバー上面部の前縁と、倒伏状態の便蓋上面部の後縁との隙間幅が３ｍｍ以下であることが好ましい。
【００１２】
また、第１実施形態の便座便蓋装置では、前記カバーの側面部は、前記膨出部よりも後方側のケース側面部の前縁に当接しており、該カバーの側面部とケース後部側面部とが面一状となっていることが好ましい。
【００１３】
本発明の第２実施形態の便座便蓋装置は、便器の後部に設置されるケースと、該ケースに対し起倒方向回動可能に取り付けられた便座及び便蓋とを有した便座便蓋装置であって、該便蓋は、回動可能なアームによって該ケースに取り付けられており、該アームは、基端側が該軸部材によって該ケースに支持され、該軸部材から遠ざかる方向に延設されたアーム径部と、該アーム径部の先端側から軸部材に対して周回方向に延設されたアーム周部とを有している便座便蓋装置において、該ケースの前面部に前方へ膨出する膨出部が設けられており、該アーム径部の基端側が該膨出部の側面部分に支持されており、該膨出部の側面は、該ケースの後部の側面よりも左右方向中央側に位置しており、該膨出部の側方に凹所が形成されており、該凹所は、該膨出部の側面と、該ケース後部の前面と、該ケース前部の上面と、ケース前部の側縁から起立する袖壁部とによって４方が囲まれ、前方及び上方に向って開放しており、該ケースの上面と該凹所の上面とを覆うカバーが設けられていることを特徴とするものである。
【００１４】
第２実施形態では、該カバーの上面部と、倒伏状態の便蓋上面部とが面一状となっていることが好ましい。
【００１５】
第２実施形態の便座便蓋装置は、該カバー上面部の前縁と、倒伏状態の便蓋上面部の後縁との隙間幅が３ｍｍ以下であることが好ましい。
【００１６】
第２実施形態の便座便蓋装置では、該カバーの上面部の左右の側縁及び後縁から垂下する側面部が設けられ、該側面部がケースに係合していることが好ましい。また、この該カバーの左右の側面部とケース後部の左右の側面部及び袖壁部とが面一状となっていることが好ましい。
【発明の効果】
【００１７】
本発明の便座便蓋装置にあっては、アームがアーム径部とアーム周部とを有しており、該アーム径部の基端側がケース膨出部の側面部に支持されている。このように、アームをケースの外側に配置しているので、埃、ゴミ、水などがケース内に入り込むことが防止される。本発明では、この膨出部上面を覆うカバーが設けられており、美観が良好である。
【００１８】
第１実施形態では、この膨出部の上面と、アーム側方部を覆うようにカバーが設けられているので美観が良好である。
【００１９】
第１実施形態では、このカバーの上面部の後端と、ケース後部の上面部と、倒伏状態の便蓋の上面部とを面一状とすることにより美観が向上する。また、このカバー上面部とケース後部上面部の前縁とを当接させ、カバー上面部の前縁と倒伏状態の便蓋の後縁との隙間幅を例えば３ｍｍ以下と著しく小さくすることにより、美観が向上する。
【００２０】
第１実施形態では、カバーの側面部とケース後部の側面部とを面一状とし、カバー側面部の後縁とケース後部の側面部前縁とを当接させることにより、美観が向上すると共に、この部分に埃、ゴミなどが溜ることが防止される。
【００２１】
第２実施形態では、ケース膨出部の側部に凹所が形成され、該凹所にアームが配置され、該アームが袖壁部によって隠蔽されている。そして、このケースの上面と、凹所の上面とを覆うようにカバーが設けられているので美観が良好である。
【００２２】
第２実施形態では、このカバーの上面部と、倒伏状態の便蓋の上面部とを面一状とすることにより美観が向上する。また、カバー上面部の前縁と倒伏状態の便蓋の後縁との隙間幅を例えば３ｍｍ以下と著しく小さくすることにより、美観が向上する。
【００２３】
第２実施形態では、カバーの左右の側面部とケース後部の左右の側面部及び袖壁部とを面一状とすることにより、美観が向上する。
【００２４】
第２実施形態では、カバーの左右側面及び後縁から側面部を垂下させ、この側面部をケースに係合させることにより、カバーが位置決めされる。
【図面の簡単な説明】
【００２５】
【図１】第１実施形態の実施の形態に係る便座便蓋装置の斜視図である。
【図２】カバーを取り外した状態における図１の便座便蓋装置の斜視図である。
【図３】便蓋を起立させた状態における図１の便座便蓋装置の斜視図である。
【図４】カバーを取り外した状態における図１の便座便蓋装置の便蓋起立状態における斜視図である。
【図５】図１のＶ−Ｖ線断面図である。
【図６】便蓋起立時における図５と同一箇所の断面図である。
【図７】第２実施形態の実施の形態に係る便座便蓋装置の斜視図である。
【図８】カバーを取り外した状態における図７の便座便蓋装置の斜視図である。
【図９】便蓋を起立させた状態における図７の便座便蓋装置の斜視図である。
【図１０】カバーを取り外した状態における図７の便座便蓋装置の便蓋起立状態における斜視図である。
【図１１】図７のXI−XI線断面図である。
【図１２】便蓋起立時における図１１と同一箇所の断面図である。
【発明を実施するための形態】
【００２６】
以下、図１〜６を参照して第１実施形態の実施の形態について説明する。
【００２７】
図１，２の通り、この便座便蓋装置は、洋風便器の後部上面に設置される便座ボックス１と、該便座ボックス１に対し支軸２及びアーム１０によって回動可能に取り付けられた便蓋３と、便座ボックス１に対し支軸４を介して回動可能に取り付けられた便座５と、便座ボックス１の前部の上面及び側面を覆うカバー６等を備えている。支軸２の軸心線方向は便器の左右幅方向となっている。
【００２８】
アーム１０は、支軸２から放射方向に延在するアーム径部１１と、該アーム径部１１の先端から支軸２に対して周回方向に延設されたアーム周部１２とを有している。このアーム周部１２の先端部が便蓋３に接着、溶着等により連結されている。
【００２９】
便座ボックス１の前部には、前方に膨出する膨出部１ａが設けられている。この膨出部１ａの上面は、それよりも後方側の便座ボックス後部上面１ｒよりもカバー６の厚み分だけ低位となっている。膨出部１ａの左右（便座５に座った人にとっての左右）の側面１ｂは、膨出部１ａ以外の便座ボックス側面１ｓよりも便座ボックス１の左右方向中央側に引っ込んでいる。このため、膨出部１ａの左右両側には、膨出部側面１ｂ、前向き面１ｃ及び上向き面１ｄで囲まれ、側方、前方及び上方に向って開放する凹所が形成されている。膨出部側面１ｂには、アーム１０が当接するストッパ部８が突設されている。
【００３０】
アーム１０は、前述の通り、基端側が支軸２によって膨出部側面１ｂに支持されたアーム径部１１と、該アーム径部１１に連なるアーム周部１２とを有している。この実施の形態では、アーム径部１１は直棒状であるが、支軸２から遠ざかる方向に延在していればよく、これに限定されない。
【００３１】
アーム周部１２は、支軸２と垂直な面内において支軸２に対し周回方向に延在している。アーム周部１２は、支軸２に対して等半径となっていてもよいが、アーム１０が回動するときにアーム周部１２が上向き面１ｄやカバー６に接触しないものであればよく、これに限定されない。アーム周部１２は、便蓋３が倒伏した図２，５の状態において、アーム径部１１から前方側に延出している。アーム１０は、便座ボックス１の側面１ｓよりも膨出部側面１ｂ側に引っ込んだ位置に設けられている。
【００３２】
ストッパ８は、図６のように、便蓋３を起立させたときにアーム径部１１の後端が当接し、便蓋３がそれ以上後方に回動することを阻止するためのものである。このストッパ８も、便座ボックス１の側面１ｓよりも膨出部側面１ｂ側に引っ込んでいる。
【００３３】
カバー６は、膨出部１ａの上面に重なる上面部６ａと、該上面部６ａの左右両端から垂下する側面部６ｂ，６ｂとを有している。カバー６は、便座ボックス１及び便蓋３、便座５と同色であることが好ましいが、異色であってもよい。
【００３４】
上面部６ａは、図１の通り、カバー６を便座ボックス１に装着した状態において便座ボックス後部上面１ｒ及び倒伏状態の便蓋３の上面と面一状となる。また、この状態において、上面部６ａの後縁は便座ボックス後部上面１ｒの前端縁に当接する。さらに、この状態において、倒伏した便蓋３の後縁と上面部６ａの前縁とは当接するか、又は隙間幅１０ｍｍ以下、特に３ｍｍ以下となるように著しく近接している。なお、カバー６の上面部６ａの前縁には、上下幅１〜５５ｍｍの垂下壁部６ｆ（図５，６）が設けられている。
【００３５】
側面部６ｂは、図１，３の通り、カバー６を便座ボックス１に装着した状態において便座ボックス側面１ｓ及び便蓋３の側面と面一状となる。また、この状態において、側面部６ｂの後縁は便座ボックス前向き面１ｃに当接し、側面部６ｂの下縁は上向き面１ｄに当接する。さらに、この状態において、側面部６ｂの前縁は、倒伏した便蓋３の後縁と当接するか、又は隙間幅１０ｍｍ以下、特に３ｍｍ以下となるように著しく近接している。
【００３６】
カバー６は、平面ファスナ、マグネット（図示略）等を利用して便座ボックス１に対して着脱可能に装着されており、メンテナンスや清掃時等に取り外すことができる。
【００３７】
このように構成された便座便蓋装置においては、図１の通り、便蓋３が倒伏した状態において、便蓋３と便座ボックス１との間にカバー６が実質的に隙間なく介在しており、美観が良好であると共に、埃、ゴミなどが隙間に入り込むことが防止される。また、アーム１０を便座ボックス１内に引き込まないので、アーム挿通口から便座ボックス１内に埃、ゴミ、水などが入り込むこともない。
【００３８】
図１の状態から便蓋３を起立回動させると、アーム１０は支軸２を回動中心として回動し、図３，４，６のように起立する。図５から図６の状態に移行する間において、アーム周部１２は、上方向に回動するので、便蓋３の後部はカバー６から上方へ離反するように回動する。アーム１０の周部１２は、カバー６の上面部６ａの前方を移動するので、アーム１０とカバー６とは干渉しない。逆に、便蓋３が図６の状態から図５の状態に倒伏回動するときも、アーム周部１２はカバー６と接触することなく回動する。
【００３９】
図５のように、便蓋３が倒伏した状態において、便蓋３の上面部とカバー６の上面部と、便座ボックス後部１ｒ上面部とは面一状であり、且つこれら相互間の隙間は実質的に無いか又は極めて小さい。そのため、この便座便蓋装置は美観に優れる。また、カバー６の上面部６ａと便座ボックス後部上面１ｒとの当接部に埃、ゴミ、水などが入り込んで溜ることも防止される。
【００４０】
なお、仮に当接部や隙間に埃等が入っても、カバー６を取り外して容易に清掃することができる。
【００４１】
この実施の形態では、倒伏状態の便蓋３の後部の側面部と、カバー６の側面部６ｂと便座ボックス側面部１ｓとは面一状であり、該側面部６ｂの後縁と該側面部１ｓの前縁とが当接しているので、美観に優れる。
【００４２】
次に、図７〜１２を参照して第２実施形態の実施の形態について説明する。
【００４３】
図７，８の通り、この便座便蓋装置は、洋風便器の後部上面に設置される便座ボックス１Ａと、該便座ボックス１Ａに対し支軸２及びアーム１０によって回動可能に取り付けられた便蓋３と、便座ボックス１Ａに対し支軸４を介して回動可能に取り付けられた便座５と、便座ボックス１Ａの上面及び側面を覆うカバー６Ａ等を備えている。支軸２の軸心線方向は便器の左右幅方向となっている。
【００４４】
アーム１０の構成は第１発明と同一であり、同一符号は同一部分を示している。
【００４５】
便座ボックス１Ａの前部には、前方に膨出する膨出部１ａが設けられている。この膨出部１ａの上面は、それよりも後方側の便座ボックス後部上面１ｒと面一状である。第１発明と同様に、膨出部１ａの左右（便座５に座った人にとっての左右）の側面１ｂは、膨出部１ａ以外の便座ボックス側面１ｓよりも便座ボックス１の左右方向中央側に引っ込んでいる。膨出部１ａの左右両側には、膨出部側面１ｂ、ケース後部の前向き面１ｃ及びケース下部の上向き面１ｄ並びに便座ボックス１Ａの前部側縁から立ち上がる袖壁部１ｋで囲まれ、前方及び上方に向って開放する凹所１Ｒが形成されている。
【００４６】
袖壁部１ｋは、凹所１Ｒに対面する壁状部分であって、便座ボックス１Ａの後部にも連なっている。袖壁部１ｋは、便座ボックス１Ａの前部及び後部の側面１ｓと面一となっている。
【００４７】
便座ボックス１Ａの左右側面１ｓ及び後面の上縁近傍には、後述のカバー６Ａが係合する段差部１ｈが設けられている。段差部１ｈよりも上側は、カバー６Ａの側面部６ｂの厚み分だけ便座ボックス１Ａの上面中央側に引っ込んでいる。左右の段差部１ｈは、袖壁部１ｋの上端辺と一直線状となるように延在している。
【００４８】
膨出部側面部１ｂには、第１発明と同じく、アーム１０が当接するストッパ部８（図１１，１２）が突設されている。
【００４９】
カバー６Ａは、膨出部１ａの上面から便座ボックス１Ａの後部１ｒ上面に重なる上面部６ａと、該上面部６ａの左右両側縁から左右の垂下する側面部６ｂ，６ｂと、上面部６ａの後縁から垂下する後縁側面部（図示略）とを有している。カバー６Ａは、便座ボックス１Ａ及び便蓋３、便座５と同色であることが好ましいが、異色であってもよい。
【００５０】
上面部６ａは、図７の通り、カバー６Ａを便座ボックス１Ａに装着した状態において倒伏状態の便蓋３の上面と面一状となる。また、この状態において、カバー６Ａの左右の側面部６ｂと後縁側の側面部の下端は便座ボックス１Ａの段差部１ｈに当接している。また、側面部６ｂは便座ボックス１Ａの側面部に重なり、カバー６Ａの後面側の側面部は便座ボックス１Ａの後面側の側面部に重なっている。このようにカバー６Ａの側面部と便座ボックス１Ａの側面部とを係合させることにより、カバー６Ａの位置決めがなされる。
【００５１】
さらに、このカバー６Ａ装着状態において、倒伏した便蓋３の後縁とカバー６Ａの上面部６ａの前縁とは当接するか、又は隙間幅１０ｍｍ以下、特に３ｍｍ以下となるように著しく近接している。なお、カバー６Ａの上面部６ａの前縁には、上下幅１〜５５ｍｍの垂下壁部６ｆ（図１１，１２）が設けられている。
【００５２】
カバー６Ａの側面部６ｂは、図７，９の通り、カバー６Ａを便座ボックス１に装着した状態において便座ボックス側面１ｓ及び便蓋３の側面と面一状となる。また、この状態において、側面部６ｂの下端は袖壁部１ｋの上端に当接する。さらに、この状態において、側面部６ｂの前縁は、倒伏した便蓋３の後縁と当接するか、又は隙間幅１０ｍｍ以下、特に３ｍｍ以下となるように著しく近接している。
【００５３】
カバー６Ａは、平面ファスナ、マグネット（図示略）等を利用して便座ボックス１Ａに対して着脱可能に装着されており、メンテナンスや清掃時等に取り外すことができる。
【００５４】
このように構成された便座便蓋装置においては、図７，１１の通り、便蓋３が倒伏した状態において、便蓋３の上面部とカバー６Ａの上面部とは面一状であり、且つこれら相互間の隙間は実質的に無いか又は極めて小さい。そのため、この便座便蓋装置は美観に優れると共に、埃、ゴミなどが隙間に入り込むことが防止される。また、アーム１０を便座ボックス１Ａ内に引き込まないので、アーム挿通口から便座ボックス１Ａ内に埃、ゴミ、水などが入り込むこともない。なお、仮に当接部や隙間に埃等が入っても、カバー６Ａを取り外して容易に清掃することができる。
【００５５】
第２実施形態においても、図７の状態から便蓋３を起立回動させると、アーム１０は支軸２を回動中心として回動し、図９，１０，１２のように起立する。図１１から図１２の状態に移行する間において、アーム周部１２は、上方向に回動するので、便蓋３の後部はカバー６Ａから上方へ離反するように回動する。アーム１０の周部１２は、カバー６Ａの上面部６ａの前方を移動するので、アーム１０とカバー６Ａとは干渉しない。逆に、便蓋３が図１２の状態から図１１の状態に倒伏回動するときも、アーム周部１２はカバー６Ａと接触することなく回動する。
【００５６】
この実施の形態では、倒伏状態の便蓋３の後部の側面部と、カバー６Ａの側面部６ｂと便座ボックス側面部１ｓ及び袖壁部１ｋとは面一状であり、該カバー側面部６ｂの下端と袖壁部１ｋの上端とが当接しているので、美観に優れる。
【００５７】
上記実施の形態は本発明の一例であり、本発明は図示以外の態様とされてもよい。例えば、便座ボックスの代わりにタンクカバーをケースとして用いてもよい。
【符号の説明】
【００５８】
１，１Ａ  便座ボックス
１ｋ  袖壁部
１Ｒ  凹所
２，４  支軸
３  便蓋
５  便座
６，６Ａ  カバー
８  ストッパ
１０  アーム
１１  アーム径部
１２  アーム周部
【図１】
2013052032.tif 000003
【図２】
2013052032.tif 000004
【図３】
2013052032.tif 000005
【図４】
2013052032.tif 000006
【図５】
2013052032.tif 000007
【図６】
2013052032.tif 000008
【図７】
2013052032.tif 000009
【図８】
2013052032.tif 000010
【図９】
2013052032.tif 000011
【図１０】
2013052032.tif 000012
【図１１】
2013052032.tif 000013
【図１２】
2013052032.tif 000014